【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
ディスペンサーへ（１０）の電力送達を管理するためのシステムであって、
より低電力のゼロ正味電圧（ＺＮＶ）電力源に作動可能に接続可能なパワーコントローラー（２０）であって、より低電力のＺＮＶ電力源が、低電力直流（ＬＰＤＣ）電力源（１４ａ）によって、スイッチング回路（１６）を介して電力を供給され、前記スイッチング回路及びＬＰＤＣ電力源が、作動可能に交換可能なコンポーネントに接続され、着脱可能な電気的インターフェースを介してコントローラーに接続可能であり、前記ＺＮＶ電力源をより高電圧の直流（ＨＶＤＣ）電力源に変換するための電力整流回路（ＰＲＣ）（２０ｃ）を有するパワーコントローラー（２０ｅ，２０ｆ）と、
前記ＨＶＤＣ電力源に作動接続された少なくとも１つのエネルギー蓄積システムであって、ＨＶＤＣ電力を受け取って該少なくとも１つのエネルギー蓄積システム内に蓄積するための少なくとも１つのエネルギー蓄積システム（２２ｆ、２２ｇ）と、
前記少なくとも１つのエネルギー蓄積システムに作動接続されたディスペンサー負荷（２２ｋ）と、
を備える、ディスペンサーへの電力送達を管理するためのシステム。
【請求項２】
前記コントローラーは、ＨＶＤＣ電力を前記少なくとも１つのエネルギー蓄積システム（２２ｆ、２２ｇ）に選択的に誘導して、前記少なくとも１つのエネルギー蓄積システム（２２ｆ、２２ｇ）を充電する手段と、負荷需要に基づいて、前記少なくとも１つのエネルギー蓄積システムからの電力を前記ディスペンサー負荷（２２ｋ）に選択的に誘導する手段（２２ｊ、２２ｊ’、２２ｊ’’’）とを備える、請求項１に記載のシステム。
【請求項３】
前記エネルギー蓄積システム（２２ｆ、２２ｇ）は、少なくとも１つのキャパシターを備え、
前記システムは、前記ＨＶＤＣ電力源に作動接続された補助電力セル（１８ｅ）であって、ＨＶＤＣ電力を受け取って、該補助電力セル内に蓄積するための補助電力セル（１８ｅ）を更に備え、前記コントローラーは、ＨＶＤＣ電力を、前記少なくとも１つのキャパシター及び前記補助電力セルのそれぞれに選択的に誘導して、前記少なくとも１つのキャパシター及び前記補助電力セルを充電する手段（２２ｊ、２２ｊ’、２２ｊ’’、２２ｊ’’’）と、負荷需要に基づいて、前記少なくとも１つのキャパシター及び前記補助電力セルからの電力を前記ディスペンサー負荷に選択的に誘導する手段とを備え、
前記コントローラーは、選択的に、前記補助電力セルよりも前に、前記少なくとも１つのキャパシターからの前記ディスペンサー負荷（２２ｋ）への電力を優先する、請求項１又は２に記載のシステム。
【請求項４】
前記コントローラーは、前記少なくとも１つのキャパシターと前記補助電力セルとの間に作動接続された少なくとも１つのスイッチであって、電力を前記少なくとも１つのキャパシター又は前記補助電力セルのいずれかに選択的に誘導して、前記少なくとも１つのキャパシター又は前記補助電力セルのいずれかを充電するための少なくとも１つのスイッチを備える、請求項３に記載のシステム。
【請求項５】
前記コントローラーは、前記少なくとも１つのキャパシター及び前記補助電力セルに作動接続された電圧測定手段であって、前記少なくとも１つのキャパシター及び前記補助電力セルの前記電圧を測定する電圧測定手段を備え、前記コントローラーは、前記少なくとも１つのキャパシター及び前記補助電力セルの実際の測定電圧に基づいて、前記ＨＶＤＣ電力源から前記少なくとも１つのキャパシター又は前記補助電力セルへの電力送達を優先し、
前記コントローラーは、選択的に、前記少なくとも１つのキャパシター及び前記補助電力セルの実際の測定電圧に基づいて、前記少なくとも１つのキャパシター及び前記補助電力セルから前記ディスペンサー負荷への電力送達を優先する、請求項３又は４に記載のシステム。
【請求項６】
ディスペンサー負荷需要がないとき、前記コントローラーは、ＨＶＤＣ電力を前記少なくとも１つのキャパシター及び前記補助バッテリーのいずれかに誘導して、前記少なくとも１つのキャパシター及び前記補助バッテリーをトリクル充電する、請求項３〜５のいずれか１項に記載のシステム。
【請求項７】
前記ＺＮＶ電力源は、等しいが逆の電圧の正及び負の交番電圧パルスを含み、前記システムは、前記スイッチング回路に作動接続されたデータ回路を更に備え、該データ回路内のデータは、該データ回路内のデータを表すより低い電圧を有する正及び負の交番電圧パルスとして、前記ＺＮＶ電力源の前記正及び負の交番電圧パルスに混合される、請求項１〜６のいずれかに記載のシステム。
【請求項８】
前記取り外し可能電気インターフェースは、前記交換可能コンポーネントと前記ディスペンサーとの間に非移動型電気接点を備える、請求項１〜７のいずれかに記載のシステム。
【請求項９】
前記取り外し可能電気インターフェースは、前記消耗品と前記ディスペンサーとの間に移動型接点を備える、請求項１〜８のいずれかに記載のシステム。
【請求項１０】
前記システムは、再充電不能なバッテリーである前記補助電力セルを備え、
前記コントローラ（２０）は、再充電不能なバッテリーである前記補助電力セルから電力の伝達を可能にするように構成されている、請求項１〜３のいずれか１項に記載のシステム。
【請求項１１】
前記交換可能コンポーネント（１２）は、動作中に前記ディスペンサーに対して移動し、前記交換可能コンポーネント及び前記ディスペンサーは、該交換可能コンポーネント及び該ディスペンサーに作動接続されたエネルギー回収システム（１６ｂ、１６ｃ、１６ｄ）であって、前記少なくとも１つのエネルギー蓄積システム及び／又は前記補助電力セル内に運動エネルギーを取り込むためのエネルギー回収システムを共同で備える、請求項９又は１０に記載のシステム。
【請求項１２】
より低電力のゼロ正味電圧（ＺＮＶ）電力源を、ディスペンサーへの電力送達を管理するパワーコントローラーを有するシステムへの電力送達を管理するためのシステムに供給するための交換可能なコンポーネントであって、
システムのコントローラーとともに脱着可能な電気的インターフェースを形成する脱着可能な電気的コンタクトと、
低電力直流（ＬＰＤＣ）電力源と、
ＬＰＤＣ電力源をＺＮＶ電力源に変換し、脱着可能な電気的コンタクトを介して、ＺＮＶ電力をシステムのコントローラーに供給するスイッチング回路と、
電気的コンタクトがシステムに取り付けられた時に、システムは、
前記ＺＮＶ電力源をより高電圧の直流（ＨＶＤＣ）電力源に変換し、
前記ＨＶＤＣ電力源からのエネルギーを少なくとも１つのエネルギー蓄積システムに蓄積するように構成されており、
蓄積されたエネルギーを使用するディスペンサー負荷に電力を供給する、交換可能なコンポーネント。
【請求項１３】
請求項１に記載のシステムと、請求項１２に記載の交換可能なコンポーネントとを備える、ディスペンサー装置。
【請求項１４】
ディスペンサー負荷（２２ｋ）への電力送達を管理するとともに、ディスペンサーと該ディスペンサー（１０）の交換可能コンポーネント（１２）との間の電気インターフェース（１４ｂ、１４ｃ、１８ｂ、１８ｃ）を介して電力を転送するためのシステムであって、
より低電力のゼロ正味電圧電力源は、前記交換可能コンポーネント（１０）に作動接続された交換可能コンポーネントコントローラー及び第１の電力セル（１４ａ）であって、該交換可能コンポーネントコントローラーは、該第１の電力セルからの直流電力をゼロ正味電圧（ＺＮＶ）電力信号に変換するための電力反転回路（ＰＩＣ）を有する、交換可能コンポーネントコントローラー及び第１の電力セルを備え、
電力整流回路は、
前記ディスペンサーに作動接続された、脱着可能な前記電気インターフェースを介して前記ＺＮＶ電力信号を受け取るための第１の回路（２０）であって、前記ＺＮＶ電力信号をより高電圧の直流（ＨＶＤＣ）電力に変換するための第１の回路を備え
前記エネルギー蓄積システムは、少なくとも１つの電力蓄積デバイスを備え、
前記パワーコントローラーは、
前記第１の回路、前記少なくとも１つの電力蓄積デバイス、及び前記ディスペンサー負荷に作動接続された第２のコントローラーを備え、
前記第２のコントローラーは、
ＨＶＤＣ電力を前記少なくとも１つの電力蓄積デバイスに選択的に誘導して、前記少なくとも１つの電力蓄積デバイスを充電する手段と、
前記少なくとも１つの電力蓄積デバイス内の蓄積された電力を前記ディスペンサー負荷（２２ｋ）に選択的に誘導する手段（２２ｊ、２２ｊ’、２２ｊ’’、２２ｊ’’’）と、
を有し、
前記第２のコントローラーに作動接続された補助電力セル（１８ｅ）を更に備え、前記第２のコントローラーは、ＨＶＤＣ電力を前記補助電力セルに選択的に誘導する手段を有する、請求項１〜１１のいずれかに記載のシステム。
【請求項１５】
前記第２のコントローラーは、少なくとも１つのパワー蓄積デバイスのキャパシターと前記補助電力セルとの間に作動接続された少なくとも１つのスイッチ（２２ｊ、２２ｊ’’）であって、電力を前記キャパシター又は前記補助電力セルのいずれかに選択的に誘導して、前記キャパシター又は前記補助電力セルのいずれかを充電するための少なくとも１つのスイッチを備える、請求項１４に記載のシステム。
【請求項１６】
前記第２のコントローラーは、前記第２のコントローラーの電圧測定手段によって測定され、前記キャパシター及び前記補助電力セルの実際の測定電圧に基づいて、前記ＨＶＤＣ電力源から前記キャパシター又は前記補助電力セルへの電力送達を優先し、
前記電圧測定手段は、選択的に前記キャパシター及び前記補助電力セルに作動接続され、前記キャパシター及び前記補助電力セルの電圧を測定し、
前記キャパシター及び前記補助電力セルの実際の測定電圧に基づいて、前記キャパシター及び前記補助電力セルから前記ディスペンサー負荷への電力送達を優先し、
ディスペンサー負荷需要がないとき、前記第２のコントローラーは、ＨＶＤＣ電力を前記キャパシター又は前記補助バッテリーのうちの一方に選択的に誘導して、前記キャパシター又は前記補助バッテリーをトリクル充電するように構成されている、請求項１４又は１５に記載のシステム。
【請求項１７】
交換可能コンポーネント上の第１のエネルギー蓄積システムから第２のコンポーネント上の第２のエネルギー蓄積システムに、前記交換可能コンポーネントと前記第２のコンポーネントとの間の脱着可能な電気的インターフェースを介して電力を転送するとともに、前記第２のコンポーネント上で、該第２のコンポーネントに対して構成された電気負荷に送達するための電力を管理する方法であって、
ａ．前記交換可能コンポーネント（１２）上のより低電圧の電力直流（ＬＰＤＣ）電力源（１４ａ）からの直流をより低電力のゼロ正味電圧（ＺＮＶ）信号に反転するステップと、
ｂ．前記ＺＮＶ信号を前記脱着可能な電気的インターフェース（１４ｂ、１４ｃ、１８ｂ、１８ｃ）を介して前記第２のコンポーネント（１０）に転送するステップと、
ｃ．前記ＺＮＶ信号をより高電圧の直流（ＨＶＤＣ）電力に整流するステップと、
ｄ．前記ＨＶＤＣ電力を用いて前記第２のエネルギー蓄積システム（２２ｆ、２２ｇ）を充電するステップと、
ｅ．ユーザー需要に基づいて、前記第２のエネルギー蓄積システムから前記電気負荷にエネルギーを解放するステップと、
を含む、方法。